(57)【要約】      （修正有）【課題】短辺側柵を内側に中折れすると共に、短辺側柵の上段が下段の外側に折畳可能となっているサークル付き折畳式ベッドを提供する。【解決手段】枢軸が鉛直なヒンジを介して前後の長辺側柵２、４間の内側へ折り込み可能な中折れ式の短辺側柵６が連結されたサークル付き折畳式ベッド１において、短辺側柵は、中折れ用のヒンジで区切られた一対の区分柵１１〜１４が、それぞれ上段の区分柵１１、１３と下段の区分柵１２、１４に分離して枢軸が水平なヒンジを介して連結され、ベッド展開時に短辺側柵の上段の区分柵が下段の区分柵の外側に重なるように折畳可能となっている。【選択図】図１
0003225173.tif 000002
【実用新案登録請求の範囲】
【請求項１】
前方の長辺側柵の左右両端に設けられた前支柱と後方の長辺側柵の左右両端に設けられた後支柱との間に、枢軸が鉛直なヒンジを介して前後の長辺側柵間の内側へ折り込み可能な中折れ式の短辺側柵が連結され、前後の長辺側柵および左右の短辺側柵で囲まれた中段位置に寝具受台を載置してなり、前方の長辺側柵が一対の前支柱に沿って下方へスライド自在に取り付けられたサークル付き折畳式ベッドにおいて、
短辺側柵は、前記中折れ用のヒンジで区切られた前後一対の区分柵が、それぞれ上段の区分柵と下段の区分柵に分離して枢軸が水平なヒンジを介して連結され、ベッド展開時に短辺側柵の上段の区分柵が下段の区分柵の外側に重なるように折畳可能となっていることを特徴とするサークル付き折畳式ベッド。
【請求項２】
寝具受台は、左右の短辺側柵の展開時に、左右の短辺側柵の所定の側枠に水平に貫挿される水平時支持ピンによって載置されて支持されていることを特徴とする請求項１に記載のサークル付き折畳式ベッド。
【請求項３】
左右の短辺側柵の内側への中折れ時には、後方の長辺側柵の所定の測枠に着脱可能に水平に貫挿された起立時支持ピンによって、長辺側柵に沿って起立した寝具受台の底面を支持してなることを特徴とする請求項１または２に記載のサークル付き折畳式ベッド。
【考案の詳細な説明】
【技術分野】
【０００１】
本考案は、ベビーベッドなどに用いられるサークル付き折畳式ベッドの改良に関する。
【背景技術】
【０００２】
本出願人は、特開平１１−１０３９８１号のサークル付き折畳式ベッドとして、中央に配置されて下部に左右一対の中央脚部が形成され、上部に左右一対のサークル中央柱部が形成されたセンターサポート部と、四隅に配置されて下部に外脚部が形成され、上部にサークル外柱部が形成されたコーナーサポート部と、二分割された略矩形状からなって、前記センターサポート部で端面が対峙すると共に該センターサポート部とコーナーサポート部の内側で四隅が枢着された一対のベース部と、前記外脚部の下端に固着され前記ベース部と平行し中央脚部に向かって延びる外脚台および該外脚台の前後に一対に設けられたキャスタと、左右に対向するサークル外柱部の間に形成された前後のサークル面部と、前記サークル外柱部と同一面側のサークル中央柱部との間に配置され、外端側が前記サークル外柱部に上下で枢着され、内端側がサークル中央柱部に上下で枢着される二分割された左右のサークル面部とからなって、
前後に対向する外脚部およびサークル外柱部を中央側に接近させてベースフレームおよび上下枠部を中央脚部およびサークル中央柱部が上昇するように傾斜して中折れ状に折畳むことができることを特徴とした構造を提案し、相応の成果を挙げている。
上記構成では、略直方体のサークルの長手辺側を中央で上向きに中折れさせて２つに折り畳むことでコンパクトに収納することができた。
これに対して、実用新案登録第３０３３６２１号のベビーベッド用フレームでは、サークルの短手辺側を中央で長手辺の内側に折り畳むことでコンパクトに折畳む構造が提案されている。
【０００３】
即ち、一方の長辺側柵の左右両端に設けられた支柱と他方の長辺側柵の左右両端に設けられた支柱との間に、枢軸が鉛直な蝶番を介して前記両長辺側柵間の内側へ折り込み可能な中折れ式の短辺側柵が連結され、これら側柵の下端部間に寝具受台を架設可能であって、一方の長辺側柵の支柱に設けられた第一の係止部と、
他方の長辺側柵の支柱に設けられた第二の係止部と、両端に前記短辺側柵を前記両長辺側柵間の内側へ折り込んだ状態で互いに近接した前記第一及び第二の係止部と着脱自在に結合される被係止部が設けられたベルトと、を備えた構成が開示されている。
ここで上記ベッドでは、幼児は長辺側柵の長手方向に沿った姿勢で休んでいる。
そのため、従来の構成では、短辺側柵は上下が一体に形成されているので、短辺側柵は折り畳むことができず、例えば、おしめを交換する場合には、正面側の長辺測枠を下げて幼児の向きを変えてからしか作業することができなかった。
【先行技術文献】
【特許文献】
【０００４】
【特許文献１】特開平１１−１０３９８１号公報
【特許文献２】実用新案登録第３０３３６２１号公報
【考案の概要】
【考案が解決しようとする課題】
【０００５】
この考案が解決しようとする問題点は、左右の短辺側柵を中折れ式に折畳むことができると共に、ベッド展開時には短辺側柵の上方を下方の外側に２つ折りすることができ、ベットのサイド側から幼児のおしめ替えを容易にすることができるサークル付き折畳式ベッドを提供することにある。
【課題を解決するための手段】
【０００６】
本考案は、上記課題を達成するために、
前方の長辺側柵の左右両端に設けられた前支柱と後方の長辺側柵の左右両端に設けられた後支柱との間に、枢軸が鉛直なヒンジを介して前後の長辺側柵間の内側へ折り込み可能な中折れ式の短辺側柵が連結され、前後の長辺側柵および左右の短辺側柵で囲まれた中段位置に寝具受台を載置してなり、前方の長辺側柵が一対の前支柱に沿って下方へスライド自在に取り付けられたサークル付き折畳式ベッドにおいて、
短辺側柵は、前記中折れ用のヒンジで区切られた前後一対の区分柵が、それぞれ上段の区分柵と下段の区分柵に分離して枢軸が水平なヒンジを介して連結され、ベッド展開時に短辺側柵の上段の区分柵が下段の区分柵の外側に重なるように折畳可能となっていることを特徴とする。
【考案の効果】
【０００７】
本考案のサークル付き折畳式ベッドは、短辺側柵が中折れ用の枢軸が鉛直なヒンジで前後に２つの区分柵に区切られると共に、各一対の区分柵は、枢軸が水平なヒンジを介して上下に連結されているので、ベッド展開時に、短辺側柵の前後の区分柵が展開することができ、更に、上段の区分柵が下段の区分柵の外側に重なるように折畳むことができる。これにより展開したベッド使用時に、短辺側柵の上段を下段の外側となるように下方に折り畳むことができ、サークル内を有効に使用することができる。
また、ベットの不使用時には、短辺側柵の前後の区分柵を前記中折れ用のヒンジを介して内側に中折れさせることによりコンパクトに折り畳むことができる。
【図面の簡単な説明】
【０００８】
【図１】サークル付き折畳式ベッドの展開状態の斜視図である。
【図２】同折畳時の斜視図である。
【図３】前方の長辺側柵を下ろした状態の斜視図である。
【図４】側方の一方の短辺側柵の上段の区分柵を下ろした状態の斜視図である。
【図５（ａ）】展開した短辺側柵を外側から見た側面図である。
【図５（ｂ）】区分柵の上段を下段の外側に折り畳んだ状態の側面図である。
【図６（ａ）】ベッドの展開時の寝具受台の水平支持状態を示す要部平面図である。
【図６（ｂ）】ベッドの折畳開始状態を示す要部平面図である。
【図７】一方の短辺側柵の展開状態および寝具受台を支持する水平支持ピンを取り付けた状態の部分平面図である。
【考案を実施するための形態】
【０００９】
以下にこの考案のサークル付き折畳式ベッドの好適実施例について、図面を参照しながら説明する。
【実施例１】
【００１０】
本実施例のサークル付き折畳式ベッド１は、図１に示すように、前方の長辺側柵２の左右両端に設けられ下端にキャスタを備えた前支柱３、３と、後方の長辺側柵４の左右両端に設けられ下端にキャスタを備えた後支柱５、５との間に、枢軸が鉛直なヒンジＨ１を介して前後の長辺側柵２、４間の内側へ折り込み可能な中折れ式の短辺側柵６、６が連結されている。
【００１１】
上記折畳構成は、例えば、実用新案登録第３０３３６２１号の構造とほぼ同様であるが、本実施例では、前支柱３が横幅の広い断面矩形の支柱からなって、前方の長辺側柵２の左右両端で、長辺側柵２と直交するように内向きに取り付けられている。
また、後支柱５は、横幅が前支柱３の横幅より僅かに狭い断面矩形の支柱からなって、後方の長辺側柵４の左右両端で、長辺側柵４と直交するように内向きに固定されている。
【００１２】
前記前支柱３には、図１ないし図３に示すように、上方から中途位置まで垂直に延びるスライド溝Ｓが穿設されている。
一方、前方の長辺側柵２は、上枠２ａと、下枠２ｂと、上枠２ａと下枠２ｂの間に等間隔に垂直に掛け渡された縦枠２ｃとからなっており、縦枠２ｃより外側の突出した上枠２ａの両端面側に、前記スライド溝Ｓの上端に設けた係止孔（図示せず）に出没自在に係止する掛止ピンＰを備えている。
【００１３】
サークル使用時には、掛止ピンＰの先端を係止孔に突入させて、長辺側柵２を上方位置に掛け止めてサークル前面を塞ぎ、サークルを開く際には、前記掛止ピンＰを係止孔から抜いて、前記スライド溝Ｓに沿って長辺側柵２の上端が寝具受台７とほぼ同じ乃至やや高い高さになるように押し下げる（図３参照）。
上記構成は、従来のサークルベッドにも用いられている公知の構成である。
【００１４】
短辺側柵６は、前後方向に２等分されると共に、各分割された部分が、更に上下に分割されて４つの第１から第４区分柵１１〜１４からなっている。
一端が前支柱３に接する第１区分柵１１およびその下方の第２区分柵１２は、前支柱３に接する側枠１５が上下に分割されず第１区分柵１１および第２区分柵１２とが共通の１体の枠材からなっており（図５（ａ）（ｂ）参照）、前支柱３と枢軸が鉛直なヒンジＨ２を介して蝶着されている（図６（ａ）（ｂ）参照）。
【００１５】
同様に、一端が後支柱５に接する第３区分柵１３およびその下方の第４区分柵１４は、後支柱５に接する側枠１６が分割されず第３区分柵１３および第４区分柵１４とが共通の１体の枠材からなっており、後支柱５と枢軸が鉛直なヒンジＨ３を介して蝶着されている（図５（ａ）、図６（ａ）参照）。
【００１６】
そして、各区分柵１１〜１４は、上枠１０ａと下枠１０ｂと縦枠１０ｃとからなっており、第１区分柵１１と第３区分柵１３のそれぞれの内側の縦枠となる連結縦枠１０ｄ部分が接して枢軸が鉛直なヒンジＨ１を介して枢着されている。
同様に、第２区分柵１２と第４区分柵１４のそれぞれの内側の縦枠となる連結縦枠１０ｄ部分が接してヒンジＨ１を介して枢着されている。
これによりベッド１の折畳時には、一対の連結縦枠１０ｄは、前記ヒンジＨ１を介して内側に折り込まれる（図６（ａ）（ｂ）参照）。
【００１７】
次に、前記第１区分柵１１と第２区分柵１２とは、第１区分柵１１の下枠１０ｂと、第２区分柵１２の上枠１０ａとの間に枢軸が水平なヒンジＨ４が介設されて蝶着されている。
なお、ここで各ヒンジは上下方向と前後（水平）方向の交差する個所には設けられない。
従って、第１区分柵１１と第３区分柵１３は、外側に折り畳まれて、第２区分柵１２と第４区分柵１４の外側に平行に重なるように折畳まれる（図４参照）。
図示例では左右一方（左側）の短辺側柵６のみが半分に折畳まれて寝具受台７の上面と略同一面を開放することができる。
【００１８】
上記ベッド１の不使用時には、図２および図６（ｂ）のように、前支柱３、後支柱５の長手辺が厚みとなり、２つに折畳まれた短辺側柵６によって仕切られた２つの収納空間Ｓ１、Ｓ２が形成される。
そこで、本実施例では、一方の収納空間Ｓ２に板状の寝具受台７を起立させて収納することができる。
【００１９】
次に、後方の長辺側柵４は、一対の後支柱５上部に横架されて固定された上枠４ａと、下方に横架されて固定された下枠４ｂと、上枠４ａと下枠４ｂとの間に等間隔で垂直に掛け渡されて固定された縦枠４ｃとからなっている。
そして、所定の間隔を隔てた一対の縦枠４ｃの下方に、図６（ｂ）に示すようにベッド１の折畳時に寝具受台５を支持する起立支持ピンＰ１が左右一対に設けられている。
【００２０】
その際に、後方の長辺側柵４の縦枠４ｃに取り付けられて、前記収納空間Ｓ２の幅と略同一の長さで水平に突出する起立支持ピンＰ１上に起立状の寝具受台７を載置することで、コンパクトに収納することができる。
ここで、前記起立支持ピンＰ１は、所定の間隔で複数（例えば２個所に）配置した縦枠４ｃに固定するものでもよいし、ベッド１の折畳時にはネジ等で固定し展開時には縦枠４ｃから抜き取って収納しておくものでもよい。
本実施例では、折畳時の前記後方で幅狭の収納空間Ｓ２に起立状の寝具受台７を収納することができるが、この考案では、寝具受台７は幅広の収納空間Ｓ１に収納してもよいし、その他の任意の場所に収納するものでもよい。
その他、この考案では、収納空間Ｓ１、Ｓ２はいずれか一方または双方を設けなくてもよい。
【００２１】
またベッド１の展開時には、左右の短辺側柵６の縦枠１０ｃに設けて、水平にした寝具受台７を水平支持ピンＰ２で支持するようになっている（図７参照）。
即ち、使用状態の寝具受台７は、短辺側柵６で下段となる第２区分柵１２、第４区分柵１４の所定の縦枠１０ｃの上部に水平支持ピンＰ２を水平に貫通させた構成からなっている。
【００２２】
即ち、図示例では、水平支持ピンＰ２は、縦枠１０ｃに形成された貫通孔に挿通して、ピンの頭部を着脱可能に前記貫通孔に固定する。
この水平支持ピンＰ２は、左右の短辺側柵６の下段の区分柵１２、１４の縦枠１０ｃに、同一レベルとなるように、１つまたは複数が設けられている（図６（ｂ）、図７参照）。
【００２３】
従って、ベッド１使用時には、少なくとも４つ以上の水平支持ピンＰ２で寝具受台７を水平に支持することができ、上段の区分柵１１、１３は下方に折り畳むことができる。
ベッド１の折畳時には、前記水平支持ピンＰ２を前記縦枠１０ｃからロック解除し、抜き取って収納することができる。
【００２４】
このサークル付き折畳式ベッドでは、短辺側柵６の展開時に、上段の区分柵１１、１３が下段の区分柵１２、１４の外側に重なるように折畳可能となっており、ベッド使用時に、短辺側柵の上段を折り畳むことができる。
また、寝具受台７は、ベッドの展開時には、水平支持ピンＰ２によって水平姿勢に保持することができ、ベッドの折畳時には起立時支持ピンによって起立姿勢に保持することができる。
【符号の説明】
【００２５】
１    サークル付き折畳式ベッド
２    前方の長辺側柵
２ａ  上枠
２ｂ  下枠
２ｃ  縦枠
３    前支柱
４    後方の長辺側柵
４ａ  上枠
４ｂ  下枠
４ｃ  縦枠
５    後支柱
６    短辺側柵
Ｓ    スライド溝
７    寝具受台
１０ａ  上枠
１０ｂ  下枠
１０ｃ  縦枠
１０ｄ  連結縦枠
１１〜１４  第１から第４の区分柵
１５    前方の測枠
１６    後方の測
１７    短辺側柵の前後支柱への係脱ピン
Ｈ１〜３  枢軸が鉛直なヒンジ
Ｈ４  枢軸が水平なヒンジ
Ｐ１  起立支持ピン
Ｐ２  水平支持ピン
Ｓ１、Ｓ２  収納空間
【図１】
0003225173.tif 000003
【図２】
0003225173.tif 000004
【図３】
0003225173.tif 000005
【図４】
0003225173.tif 000006
【図５（ａ）】
0003225173.tif 000007
【図５（ｂ）】
0003225173.tif 000008
【図６（ａ）】
0003225173.tif 000009
【図６（ｂ）】
0003225173.tif 000010
【図７】
0003225173.tif 000011